(57)【特許請求の範囲】
【請求項１】
玉導入通路と、制御装置からの信号に基づき一定方向に回転駆動され、前記玉導入通路から玉を受け取り、次の玉排出通路の入口部に誘導する、玉が嵌め込まれ得る凹部を外周に設けたスプロケット状回転体からなる玉誘導手段と、その誘導された玉が送り込まれる複数の玉排出通路とを少なくとも備えたパチンコ機の玉送出装置であって、その玉排出通路の入口部を個別に、前記玉誘導手段であるスプロケット状回転体の外周面に沿って駆動方向の順に、かつ前記凹部により誘導された玉が自然落下して送り込まれる位置関係に配設するとともに、前記複数の入口部の少なくとも１部を閉鎖して玉が送り込まれる特定の入口部を選択可能とする開閉手段を備えたことを特徴とするパチンコ機の玉送出装置。
【請求項２】
請求項１に記載のパチンコ機の玉送出装置において、第１、２、３の玉排出通路の入口部を前記玉誘導手段であるスプロケット状回転体の外周面に沿って駆動方向の順に配設し、前記第１と第２の玉排出通路の入口部には、玉検出センサを設けるとともに、第１、２の玉排出通路の一方を賞玉払出通路とし、他方を貸玉払出通路とし、第３の玉排出通路の玉抜出通路としたパチンコ機の玉送出装置。
【請求項３】
前記一連の玉導入通路と玉誘導手段と玉排出通路とを少なくとも備えた組合せを複数組、併設し、かつ各玉誘導手段により誘導された玉を入口部に送り込むタイミングに時間差を設けたものとした請求項１または２に記載のパチンコ機の玉送出装置。
【発明の詳細な説明】
【０００１】
【発明の属する技術分野】
本発明は、パチンコ機において、賞玉および貸玉などをカウントして、その所定個数を受皿に供給するためのパチンコ機の玉送出装置に関する。
【０００２】
【従来の技術】
従来、パチンコ機の賞玉などを計数して供給する送出装置としては、主としてスプロケット型のものが使用されている。これは、パルスモータによって回転されるスプロケットの周囲に玉受け用凹部を形成しておき、その回転角度によって賞玉を計数しながら賞玉受皿に供給する形式のものである。
【０００３】
また、同じ目的の装置としては、スパイラル状の玉送り溝を備えたネジ状回転装置を回転させて賞玉を計数しながら受皿に供給する形式のものもある。
これらの玉送出装置には、玉サービスタンクから玉を導く玉導入通路と、パチンコ機前面の受皿に玉を送りだす玉排出通路を備え、その間に前記スプロケット型などの玉誘導用機構を配置して所定数の賞玉を供給できるようにしている。
【０００４】
一方、最近、貸玉の貸与について、店内のカウンタまたは自動貸玉機を利用する他にプリペイドカードのシステムを応用して、予め購入した専用のプリペイドカードをパチンコ機に挿入することにより、遊技中のパチンコ機から直接に所望数の貸玉の供給を受ける方法が普及しつつあるが、この場合も、前記賞玉の玉送出装置がそのまま利用されている。
【０００５】
このようにして、賞玉と貸玉の双方について、所定の個数の玉を供給するため、前記玉送出装置において、制御装置の指令によって計数しながら共通の玉排出通路を通って玉受皿に供給するようになっている。この場合、賞玉と貸玉の計数操作も共通の玉検出センサを使用するのが普通であるので、制御装置内のメモリによって一応識別できるものの、パチンコ機の機械構造上、別個に管理できないという不都合があった。
【０００６】
【発明が解決しようとする課題】
本発明は、上記の問題点を解決するためになされたものであり、パチンコ機の玉サービスタンクから供給される賞玉と貸玉の送出し操作、計数操作などの制御、管理を別個に行うことができる他、終業後の玉抜出し操作などが容易になるというパチンコ機の玉送出装置を提供する。
【０００７】
【課題を解決するための手段】
上記の問題を解決するためになされた本発明のパチンコ機の玉送出装置は、玉導入通路と、制御装置からの信号に基づき一定方向に回転駆動され、前記玉導入通路から玉を受け取り、次の玉排出通路の入口部に誘導する、玉が嵌め込まれ得る凹部を外周に設けたスプロケット状回転体からなる玉誘導手段と、その誘導された玉が送り込まれる複数の玉排出通路とを少なくとも備えたパチンコ機の玉送出装置であって、その玉排出通路の入口部を個別に、前記玉誘導手段であるスプロケット状回転体の外周面に沿って駆動方向の順に、かつ前記凹部により誘導された玉が自然落下して送り込まれる位置関係に配設するとともに、前記複数の入口部の少なくとも１部を閉鎖して玉が送り込まれる特定の入口部を選択可能とする開閉手段を備えたことを特徴とするものである。
【０００８】
また、本発明は、前記のパチンコ機の玉送出装置において、第１、２、３の玉排出通路の入口部を前記玉誘導手段であるスプロケット状回転体の外周面に沿って駆動方向の順に配設し、前記第１と第２の玉排出通路の入口部には、玉検出センサを設けるとともに、第１、２の玉排出通路の一方を賞玉払出通路とし、他方を貸玉払出通路とし、第３の玉排出通路の玉抜出通路とした形態に具体化することができる。
【０００９】
さらに、本発明は、前記一連の玉導入通路と玉誘導手段と玉排出通路とを少なくとも備えた組合せを複数組、併設し、かつ各玉誘導手段により誘導された玉を入口部に送り込むタイミングに時間差を設けたものとした形態のパチンコ機の玉送出装置として具体化することができるのである。
【００１０】
【発明の実施の形態】
次に、本発明のパチンコ機の玉送出装置に係る実施形態を図１〜３を参照して説明する。
本発明のパチンコ機の玉送出装置は、その要部断面を示す図１、縦断面（Ａ）、水平断面（Ｂ）のように、玉導入通路１と、制御装置（図示せず）からの信号に基づき駆動装置２０によって一定方向に回転駆動され、前記玉導入通路１から玉ｐを受け取り、次の玉排出通路の入口部に誘導する玉誘導手段であるスプロケット状回転体２と、その誘導された玉ｐが入口部３１ａ、３２ａ、３３ａから送り込まれる玉排出通路３１、３２、３３とから組み立てられている。
【００１１】
ここでは前記玉誘導手段として、スプロケット状回転体２が応用されている。このスプロケット状回転体２は、その外周面に玉ｐがある程度余裕をもって嵌め込まれ得る凹部２１が等間隔に設けられ（図１では、１個の回転体２に４個の凹部２１が設けられている）たものである。
【００１２】
そして、この回転体２は、駆動装置２０によって一定方向（図１では右回りの場合が示されている）に回転駆動されると、前記玉導入通路１から玉ｐを開口した凹部２１に受け取り、さらに円周上を移動しながら誘導し、スライドシャッタ４により閉鎖された入口部３１ａ、３２ａの上方を通過し、開口した玉排出通路３３の入口部３３ａに自然落下させて送り込む。そして、空になった凹部２１は、さらに移動して、再び前記玉導入通路１から新しい玉ｐを受け取るというようにして、玉の導入と送出の動作が繰り返されるのである。
【００１３】
そして、本発明の特徴とするところは、複数の玉排出通路、例えば図１のように、玉排出通路３１、３２、３３を設けて、各々に対応する複数の入口部３１ａ、３２ａ、３３ａを個別に、前記スプロケット状回転体２の外周面に沿って駆動方向の順に、玉が自然落下して送り込まれる位置に配設するとともに、前記複数の入口部の少なくとも１部を閉鎖して玉が送り込まれる特定の入口部を選択可能とする開閉手段、例えばスライドシャッタ４を備えた点にある。
【００１４】
ここで、開閉手段としてのスライドシャッタ４は、断面円弧状板材からなり、前記スプロケット状回転体２の外周面に沿ってスライド可能に、開閉駆動装置４０から延びるアーム４１の先端に取り付けられている。そして、図１のように、時計廻りに回された位置では、このスライドシャッタ４は、玉排出通路３１、３２の入口３１ａ、３２ａを閉鎖し、入口部３３ａのみを開口している。この場合には、玉ｐは入口部３３ａのみに送り込まれることになる。
【００１５】
また、図２のように、このスライドシャッタ４を時計の反対廻りに回した位置では、玉排出通路３１、３２、３３の入口３１ａ、３２ａ、３３ａの全てが開放されるので、この場合には、玉ｐは、最初に現れる入口部３１ａに自然に落下して送り込まれることになる。
【００１６】
図３は、このようなスライドシャッタ４による玉排出通路の選択状態を比較するものであり、図３（Ａ）は、先に説明した図１に同じく、最後の玉排出通路３３の入口３３ａが選択された場合に相当し、図３（Ｃ）は、図２に同じく、最初の玉排出通路３１の入口３１ａが選択された場合に相当するものである。図３（Ｂ）では、スライドシャッタ４を図３（Ａ）と（Ｂ）の場合の中間に位置させ、入口部３１ａを閉鎖して玉ｐを次の入口部３２ａに送り込むように選択した事例である。
【００１７】
本発明では、このようにスプロケット状回転体に続いて、玉の排出通路の入口部を複数配置して、さらにスライドシャッタのような開閉手段を設けているので、玉を送り込む排出通路を適宜選択することが可能となるのである。
なお、図３においては、図２に例示された玉排出通路３１と３２とが入口部を過ぎた箇所で合流させて一本化したものとして記載されているが、本発明では、必要に応じて、このような形態に具体化することもできる。
【００１８】
次に、本発明のパチンコ機の玉送出装置の他の実施形態について説明する。
（１）図１における玉排出通路３１、３１、３３を、それぞれ、第１、２、３の玉排出通路としたとき、その第１と第２の玉排出通路の入口部３１ａ、３２ａには、玉検出センサ５１、５２を設けるとともに、第１、２の玉排出通路の一方を賞玉払出通路とし、他方を貸玉払出通路とし、第３の玉排出通路の玉抜出通路とした形態。
【００１９】
このように、賞玉払出、貸玉払出、玉抜出など専用の玉排出通路に連なる入口部を独立させれば、パチンコ機の玉タンクから供給される賞玉と貸玉の払い出し操作、計数操作などの制御、管理を確実に別個に行うことができる他、終業後などに行う玉抜出し操作などが容易になるという利点が得られる。
【００２０】
（２）前記一連の玉導入通路１とスプロケット状回転体２のような玉誘導手段と玉排出通路３１、３２、３３とを少なくとも備えた組合せを複数組、例えば、図１（Ｂ）において玉導入通路１A 、１B 〜スプロケット状回転体２A 、２B （図１（Ａ）において、２A は実線、２B は鎖線で表されている）〜２組の玉排出通路（図示せず）を併設し、かつ各玉誘導手段であるスプロケット状回転体２A 、２B のそれぞれの凹部を等間隔にずらせることにより、誘導された玉を入口部に送り込むタイミングに時間差を設けたものとした形態。
【００２１】
このようなパチンコ機の玉送出装置の場合には、複数の玉検出センサからの信号が重複することがないので、制御装置の容量を最小限に抑えながら、賞玉の送り出し、あるいは貸玉の送り出しの処理速度を向上できる利点が得られる。
【００２２】
【発明の効果】
本発明のパチンコ機の玉送出装置は、以上に説明したように構成されているので、玉の排出通路を複数形成して、玉を送り込む排出通路を適宜選択することが可能となり、賞玉と貸玉の計数管理を別個に行うことができる他、第３の玉排出通路を設定すれば終業後の玉抜出し操作などが容易になるという優れた効果がある。よって本発明は従来の問題点を解消したパチンコ機の玉送出装置として、その工業的価値は極めて大なるものがある。
【図面の簡単な説明】
【図１】本発明の実施形態を説明するための断面略図。
【図２】本発明の１操作例を説明するための断面略図。
【図３】本発明の操作例を説明するための比較断面略図。
【符号の説明】
１  玉導入通路、２  回転体、２０  駆動装置、２１  凹部、３１、３２、３３玉排出通路、３１ａ、３２ａ、３３ａ  入口部、４  スライドシャッタ、４０開閉駆動装置、４１  アーム、５１、５２  玉検出センサ、ｐ  玉。
【図１】
0004162161.tif 000002
【図２】
0004162161.tif 000003
【図３】
0004162161.tif 000004